(57)【要約】      （修正有）【課題】切れ込み間の部片を便座に接着させる場合に、部片の便座からの剥離を防止することができる便座シートを提供する。【解決手段】便座シート１を載置するとき、切れ込み１１の間の部片１３をスリット１２を折り目として屈曲させて、便座の上面に接着させる。スリット１２によって、折り曲げ時に発生する弾性復元力は弱まり、接着した部片１３を便座から剥離し難くさせることができる。また複数のスリット１２をシート１０の内縁に沿って並設することで、所謂ミシン目を形成し、前記部片の屈曲を一層容易にすることができる。【選択図】図４
0003183562.tif 000002
【実用新案登録請求の範囲】
【請求項１】
便座の上面に載置されるシートと、該シートの下面に形成した接着層とを備え、便座の内周側となる縁部分に複数の切れ込みを設けた便座シートにおいて、
前記切れ込みの間に貫通孔を形成してあること
を特徴とする便座シート。
【請求項２】
前記貫通孔を便座の内周に沿うように複数並設してあること
を特徴とする請求項１に記載の便座シート。
【請求項３】
前記切れ込みの端部間に前記貫通孔を配してあること
を特徴とする請求項１又は２に記載の便座シート。
【請求項４】
前記貫通孔はスリットであること
を特徴とする請求項１から３のいずれか一つに記載の便座シート。
【考案の詳細な説明】
【技術分野】
【０００１】
本考案は、便座の上面に載置する便座シートに関する。
【背景技術】
【０００２】
洋式便器は便器本体に対して揺動が可能なＯ型、Ｕ型などの便座を備えており、便座には必要に応じて便座カバーが装着されるか、又は、便座シートが載置される。
【０００３】
洋式便器の便座には複数の型式があり、しかも、型式が同じであっても便座メーカによって便座の大きさが異なる。そのため便座シートを各便座に共通して用いる場合、便座に対して便座シートが大形であるときは、便座シートの縁部が便座の周縁よりも突出する。
【０００４】
便座シートにおける便座の内側に突出した部分は便座の内周部内空間を狭くし、汚れ易い。そのため便座の内周側となる縁部分に複数の切れ込みを設け、その下面に接着層を設けた便座シートが従来提案されている。
【０００５】
便座の内周側となる部分が大き過ぎる場合、切れ込み間の部片を折り曲げて便座側へ押し付けることによって、該部片を便座に接着させて、便座の内側への突出を防止することができる。
【先行技術文献】
【特許文献】
【０００６】
【特許文献１】実用新案登録第３１０５０８１号公報
【考案の概要】
【考案が解決しようとする課題】
【０００７】
切れ込み間の部片を折り曲げた場合、部片には便座から離れる方向への力が弾性復元力によって作用し、部片が便座から剥がれ易くなる。
【０００８】
本考案は斯かる事情に鑑みてなされたものであり、切れ込み間の部片を便座に接着させる場合に、部片の便座からの剥離を防止することができる便座シートを提供することを目的とする。
【課題を解決するための手段】
【０００９】
本考案に係る便座シートは、便座の上面に載置されるシートと、該シートの下面に形成した接着層とを備え、便座の内周側となる縁部分に複数の切れ込みを設けた便座シートにおいて、前記切れ込みの間に貫通孔を形成してあることを特徴とする。
【００１０】
本考案においては、切れ込みの間に形成した貫通孔によって、切れ込み間の部片は貫通孔を折り目として容易に屈曲し、また弾性復元力の発生が抑制され、接着した部片は便座から剥離し難い。
【００１１】
本考案に係る便座シートは、前記貫通孔を便座の内周に沿うように複数並設してあることを特徴とする。
【００１２】
本考案においては、貫通孔を便座の内周に沿うように複数並設することで、所謂ミシン目を形成し、前記部片の屈曲を一層容易にする。
【００１３】
本考案に係る便座シートは、前記切れ込みの端部間に前記貫通孔を配してあることを特徴とする。
【００１４】
本考案においては、切れ込みの端部間に貫通孔が配設してあるので、貫通孔を折り目として部片全体を容易に折り曲げることができる。
【００１５】
本考案に係る便座シートは、前記貫通孔はスリットであることを特徴とする。
【００１６】
本考案においては、スリットに沿って折り目が形成され、部片を確実に屈曲させることができる。
【考案の効果】
【００１７】
本発明に係る便座シートにあっては、切れ込みの間に形成した貫通孔によって、切れ込み間の部片は貫通孔を折り目として容易に屈曲し、また弾性復元力の発生を抑制し、接着した部片の便座からの剥離を防止することができる。
【図面の簡単な説明】
【００１８】
【図１】実施の形態１に係る便座シートの平面図である。
【図２】図１に示すＩＩ−ＩＩ線を切断線とした拡大断面図である。
【図３】便座シートの底面図である。
【図４】便座シートを設置型便器の便座の上面に載置した状態の斜視図である。
【図５】図４に示すＶ−Ｖ 線を切断線とした拡大断面図である。
【図６】実施の形態２に係る環形をなす便座シートの斜視図である。
【図７】環形をなす便座シートの底面図である。
【図８】可搬型便器の便座の上面に載置した状態の斜視図である。
【図９】図８に示すＩＸ−ＩＸ線を切断線とした拡大断面図である。
【考案を実施するための形態】
【００１９】
（実施の形態１）
以下本考案を実施の形態１に係る便座シートを示す図面に基づいて詳述する。図１は便座シートの平面図、図２は図１に示すＩＩ−ＩＩ線を切断線とした拡大断面図、図３は便座シートの底面図である。
【００２０】
本考案に係る便座シート１は略円弧形をなし、不織布によって形成された一対のシート１０、１０を備える。不織布の加工は、ポリエステル等の熱可塑性繊維を互いにからませて集合してなる比較的薄肉のシート状のウェブを形成し、このウェブの一面をニードルパンチ加工により起毛させて行われる。このように形成された不織布は良好な保水性を有すると共に、適当な程度の撓み性を有する。
【００２１】
このように形成された不織布の裏面、換言すれば不織布を用いてなるシート１０の下面には接着層２を塗布してある。
【００２２】
この接着層２は粘着性を有するアクリル酸エステル共重合体及び熱可塑性繊維とよく相溶するメチルメタアクリレートブタジエン共重合体のエマルジョンに充填材を配合してなる合成樹脂材料が用いられる。
【００２３】
接着層２は次のような工程によって形成される。上述した合成樹脂材料の溶液をポンプによって送り出す送出路の中間に空気源に連通する撹拌室が設けてあり、該撹拌室に空気を吹き込みつつ撹拌室に供給された前記溶液を撹拌することによって該溶液を泡立たせる。
【００２４】
この泡状溶液を前記送出路の出口からシート１０を構成する前記不織布の下面に塗布し、この塗布された泡状溶液をドクターブレードにより均した後、約１２０℃の乾燥室で１乃至２分の間乾燥させる。
【００２５】
この後、乾燥室から取り出し、冷却することにより粘着性を有する状態で前記泡状溶液が硬化し、複数の微小気泡を有する接着層２が形成される。尚、不織布の下面に塗布された溶液の一部は不織布に浸透する。
【００２６】
上述の接着層２を形成するときの乾燥によって泡状の溶液のアクリル酸エステル共重合体とメチルメタアクリレートブタジエン共重合体とが化学反応して分子間に橋かけ結合が生じ、また、溶液の全ての泡部が微小気泡となる。
【００２７】
この溶液のアクリル酸エステル共重合体とメチルメタアクリレートブタジエン共重合体との橋かけ結合によって接着層２の保形性を高めることができ、該保形性によって、不織布の保形性を高めることができ、洗濯による皺を発生し難くできる。
【００２８】
しかも、微小気泡は接着層２の表面にも生ずるため、接着層２を便座の上面に押付けることによりその表面に露出する複数の微小気泡の夫々が内部空気を排出し、真空吸着作用をなし、この真空吸着作用及び前記粘着性が接着層２の接着性を高めている。
【００２９】
以上のように接着層２が形成された不織布を適宜の大きさ及び適宜の形状に裁断することによって例えば略円弧形をなす一対の便座シート１、１が形成される。
【００３０】
便座シート１、１における便座の内側となる縁部分に３０乃至５０mm程度で離隔する複数の切れ込み１１、１１、・・・、１１を設けてある。また前記縁部分には、円弧状をなす便座シート１の長さ方向に延びた複数のスリット（貫通孔）１２、１２、・・・、１２がシート１０の内縁に沿って並設されている。
【００３１】
隣り合う切れ込み１１、１１、・・・、１１の端部（シート１０の内縁の反対側に位置する端部）間にスリット１２、１２、・・・、１２が設けてあり、スリット１２、１２、・・・、１２は前記端部間を結ぶように設けてある。換言すれば、スリット１２、１２、・・・、１２は前記端部間を結ぶ仮想的な線の上に設けてある。
【００３２】
また便座シート１の奥側の端（便座の奥側に位置すべき端）と切れ込み１１の端部との間にもスリット１２、１２、・・・、１２が設けてある。
【００３３】
図４は便座シート１を設置型便器の便座の上面に載置した状態の斜視図、図５は図４に示すＶ−Ｖ 線を切断線とした拡大断面図である。設置型便器Ａにおいて、便座シート１、１は、図４に示すようにその一方が便座上面の左側部分に、他方が便座上面の右側部分に載置して用いられる。
【００３４】
便座シート１、１を載置するとき、便座シート１の奥側の端と切れ込み１１の端部との間の部片１３及び夫々の切れ込み１１、１１、・・・、１１の間の部片１３、１３、・・・１３をスリット１２、１２、・・・、１２を折り目として容易に屈曲させて、便座側へわずかな力にて押付けることにより、接着層２、２の接着性、即ち、粘着性及び真空吸着作用によって夫々の部片１３、１３、・・・１３を便座の上面に接着させる。（図５参照）。部片１３は、スリット１２、１２、・・・、１２を折り目としてその全体が容易に屈曲する。
【００３５】
スリット１２によって、折り曲げ時に発生する弾性復元力は弱まり、接着した部片１３、１３、・・・１３を便座から剥離し難くさせることができる。また複数のスリット１２、１２、・・・、１２をシート１０の内縁に沿って並設することで、所謂ミシン目を形成し、前記部片の屈曲を一層容易にすることができる。
【００３６】
なお汚損した便座シート１、１は、便座シート１、１の端部を掴んで持ち上げることにより容易に便座上面から剥がすことができ、この汚損した便座シート１、１を洗濯機等により洗濯することができる。
【００３７】
また、接着層２は接着性及び保形性を有する合成樹脂材料からなり、この接着層２が便座シート１、１の洗濯による皺を防いでいるため、便座シート１、１の洗濯を繰り返した場合においても洗濯皺を生じさせることなく平坦な形状を保つことができ、洗濯した便座シート１、１を便座に良好に敷くことができる。
【００３８】
尚、以上説明した実施の形態では、不織布の下面に接着層２を全面的に設けたが、その他、接着層２は切れ込み１１、１１、・・・、１１間の部片１３、１３、・・・１３の下面にだけ設けた構成としてもよい。
【００３９】
（実施の形態２）
以下本考案を実施の形態２に係る便座シート１ａを示す図面に基づいて詳述する。
図６は環形をなす便座シート１ａの斜視図、図７は環形をなす便座シート１ａの底面図である。便座シート１ａは四角の環形をなし、不織布によって形成されたシート１０ａを備える。シート１０ａの下面には接着層２を塗布してある。
【００４０】
接着層２が形成された不織布を適宜の大きさ及び適宜の形状に裁断することによって例えば四角の環形をなす便座シート１ａは形成される。シート１０ａ、１０ａは比較的大きい便座に対応した大きさに形成されている。
【００４１】
便座シート１ａにおける便座の内側となる縁部分に複数の切れ込み１１、１１、・・・、１１を設けてあり、また前記縁部分には、複数のスリット１２、１２、・・・、１２がシート１０ａの内縁に沿って並設されている。
【００４２】
図８は可搬型便器の便座の上面に載置した状態の斜視図、図９は図８に示すＩＸ−ＩＸ線を切断線とした拡大断面図である。可搬型便器Ｂにおいて、本考案に係る便座シート１ａは、図８に示すように便座の全周に亘って載置される。
【００４３】
便座シート１ａを載置するとき、夫々の切れ込み１１、１１、・・・、１１の間の部片１３、１３、・・・１３、スリット１２、１２、・・・、１２を折り目として部片１３全体を容易に屈曲させて、便座側へわずかな力にて押付けることにより、接着層２の接着性、即ち、粘着性及び真空吸着作用によって夫々の部片１３、１３、・・・１３を便座の上面に接着させる。（図９参照）。
【００４４】
実施の形態２に係る便座シート１ａの構成の内、実施の形態１と同様な構成については同じ符号を付し、その詳細な説明を省略する。また、以上説明した実施の形態では略円弧形をなす便座シート１、四角の環形をなす便座シート１ａとしたが、便座シート１、１ａの形状は特に制限されない。またスリット１２は貫通孔の一例であり、円孔、四角孔等他の形状をなす貫通孔であってもよい。
【００４５】
また貫通孔が配設される位置は、切れ込み１１、１１、・・・、１１の端部間に限定されず、切れ込み１１、１１、・・・、１１の端部間よりも便座の内周側又は外周側に貫通孔を設けてもよい。
【００４６】
今回開示した実施の形態は、全ての点で例示であって、制限的なものではないと考えられるべきである。本考案の範囲は、実用新案登録請求の範囲内での全ての変更及び実用新案登録請求の範囲と均等の範囲が含まれることが意図される。
【符号の説明】
【００４７】
１、１ａ  便座シート
２  接着層
１０、１０ａ  シート
１１  切れ込み
１２  スリット（貫通孔）
【図１】
0003183562.tif 000003
【図２】
0003183562.tif 000004
【図３】
0003183562.tif 000005
【図４】
0003183562.tif 000006
【図５】
0003183562.tif 000007
【図６】
0003183562.tif 000008
【図７】
0003183562.tif 000009
【図８】
0003183562.tif 000010
【図９】
0003183562.tif 000011